(57)【要約】【課題】  画像の入力の切り換えを高速に行うとともに、違和感の少ない画像の表示を行うことができるようにする。【解決手段】  入力切替部１２４が表示すべき画像の信号の入力を切り換え、ブランキング制御部１２７は、入力切替部１２４による切り換えが完了するまで、ディスプレイ１３１の表示をブランキングさせる。状態判別処理部１２５は、新たに表示される画像の信号に基づいて、その画像の変化量を演算し、制御部１２９に出力する。画質処理部１２６は、制御部１２９の制御に基づいて、画像の変化量が大きい場合、画質を決定するレジスタの設定値を最終値に設定し、画像の変化量が小さい場合、画質を決定するレジスタの設定値を部分的に変更する。本発明は、テレビジョン受像機に適用することができる。【選択図】      図２
2007094018.tif 000002
【特許請求の範囲】
【請求項１】
ユーザによる選択の都度、入力される複数の信号に対応する画像の中から、前記選択に基づく信号に対応する画像を表示させる画像表示装置であって、
前記選択に基づいて、前記複数の信号の中から選択された信号を出力する選択出力手段と、
前記選択出力手段により出力された信号に基づいて、前記信号に対応する画像の状態を表す特徴量を演算する特徴量演算手段と、
前記特徴量演算手段により演算された特徴量に基づいて、前記画像の状態を判定する状態判定手段と、
前記選択出力手段により出力された信号および前記状態判定手段の判定結果に基づいて前記画像の画質を特定するパラメータを変更する画質変更手段と
を備える画像表示装置。
【請求項２】
前記選択出力手段により出力される信号に対応する画像であって、前記画質変更手段による処理を経た画像の表示を制御する表示制御手段をさらに備える
請求項１に記載の画像表示装置。
【請求項３】
前記表示制御手段は、前記選択出力手段により出力される信号が切り換えられる場合、画像の表示をブランキングさせる
請求項２に記載の画像表示装置。
【請求項４】
前記表示制御手段は、前記ユーザの選択が行われた時点から、前記選択出力手段により出力される信号が切り換えられるまでの間、画像の表示をブランキングさせる
請求項３に記載の画像表示装置。
【請求項５】
前記状態判定手段は、前記特徴量演算手段により演算された特徴量に基づいて、前記画像の変化のレベルを判定し、
前記画質変更手段は、前記画像の変化のレベルが予め設定された閾値より大きい場合、前記画像の画質を特定するパラメータを、前記選択出力手段から出力される信号に基づいて定まる値に変更する
請求項１に記載の画像表示装置。
【請求項６】
前記状態判定手段は、前記特徴量演算手段により演算された特徴量に基づいて、前記画像の変化のレベルを判定し、
前記画質変更手段は、前記画像の変化のレベルが予め設定された閾値より小さい場合、前記画像の画質を特定するパラメータを、前記選択出力手段から出力される信号に基づいて定まる値と、現在設定されている値との間の値に変更する
請求項１に記載の画像表示装置。
【請求項７】
前記特徴量演算手段は、
前記選択出力手段により出力された信号に対応する画像を、予め設定された複数の区画に分割し、
分割された前記複数の区画のそれぞれにおいて、値を測定すべき画素の位置を表す測定点を特定し、
それぞれの前記測定点の画素の値であって、第１の時刻に対応する前記画素の値と、前記第１の時刻から予め設定された時間だけ後の第２の時刻に対応する前記画素の値との差分に基づいて、前記画像の変化を表す変化量を、前記画像の特徴量として演算する
請求項１に記載の画像表示装置。
【請求項８】
ユーザによる選択の都度、入力される複数の信号に対応する画像の中から、前記選択に基づく信号に対応する画像を表示させる画像表示装置の画像表示方法であって、
前記選択に基づいて、前記複数の信号の中から選択された信号を出力し、
前記出力された信号に基づいて、前記信号に対応する画像の状態を表す特徴量を演算し、
前記演算された特徴量に基づいて、前記画像の状態を判定し、
前記出力された信号および前記判定結果に基づいて前記画像の画質を特定するパラメータを変更する
ステップを含む画像表示方法。
【請求項９】
ユーザによる選択の都度、入力される複数の信号に対応する画像の中から、前記選択に基づく信号に対応する画像を表示させる画像表示装置に画像表示処理を実行させるプログラムであって、
前記選択に基づいて、前記複数の信号の中から選択された信号の出力を制御し、
前記出力された信号に基づいて、前記信号に対応する画像の状態を表す特徴量の演算を制御し、
前記演算された特徴量に基づいて、前記画像の状態の判定を制御し、
前記出力された信号および前記判定結果に基づいて前記画像の画質を特定するパラメータの変更を制御する
ステップを含むコンピュータが読み取り可能なプログラム。
【請求項１０】
請求項９に記載のプログラムが記録されている記録媒体。
【発明の詳細な説明】
【技術分野】
【０００１】
本発明は、画像表示装置および方法、プログラム並びに記録媒体に関し、特に、画像の入力の切り換えを高速に行うとともに、違和感の少ない画像の表示を行うことができるようにする画像表示装置および方法、プログラム並びに記録媒体に関する。
【背景技術】
【０００２】
近年、テレビジョン受像機は、多機能化、高性能化が進み、機器の構成も複雑化している。このようなテレビジョン受像機においては、変更が容易であり、複雑な仕様に対応することが可能であるという観点から、画質の制御をソフトウェアで行っているものが一般的である。画質の制御は予め設定された輝度や色あいなどを指定するためのパラメータなどで構成されるレジスタの設定を変更することにより行われる。通常に画質の制御に用いられるレジスタは、入力の切り替えやチャンネルの切り換え等に伴って行われるブランキング期間中に設定される。
【０００３】
図１は、従来の画質制御処理を説明するフローチャートである。ステップS１において、テレビジョン受像機は、画像の切り替えの指令があったか否かを判定し、画像の切り替えの指令があったと判定されるまで待機する。
【０００４】
ステップS１において画像の切り替えがあったと判定された場合、処理は、ステップS２に進み、テレビジョン受像機は、ブランキングを開始する。これによりテレビジョン受像機の画面がブランク（画像が消えた状態）になる。
【０００５】
ステップS３において、テレビジョン受像機は、入力の切り替え行う。このとき、例えば、画面に表示される画像に対応する信号の供給元がチューナから、ビデオ入力端子に切り換えられる。
【０００６】
ステップS４において、テレビジョン受像機は、切り換えられた画像の信号の供給元に対応してレジスタを設定する。
【０００７】
ステップS５において、テレビジョン受像機は、ブランキングを終了する。この後、例えば、ビデオ入力端子から供給される信号に対応する画像に対して、ステップS４で設定されたレジスタに対応する画質の制御が施されて画面に表示される。
【０００８】
このようにして画質の制御が行われる。
【０００９】
しかし、ソフトウェアで制御するレジスタが多くなると演算、設定などの処理に時間がかかる。そのため、より複雑なソフトウェア制御を行うと、レジスタの設定が完了するまでにかかる時間がより長くなり、結果としてブランキング時間が長くなる。また、映像（画像）の内容を解析し、その結果をレジスタの設定に動的に反映させる必要がある制御等は、解析のために一定時間映像を取り込む必要があるが、このような場合、やはりブランキングの期間中に映像を取り込んで解析する必要があるため、映像を取り込んでいる時間の分だけさらにブランキングの時間がかかることになる。
【００１０】
そこで、画像を表示した後で画質を調整する方法が提案されている（例えば、特許文献１または特許文献２参照）。
【特許文献１】特開２０００−３０７８９６号公報
【特許文献２】特開２０００−７８４９６号公報
【発明の開示】
【発明が解決しようとする課題】
【００１１】
しかしながら、特許文献１または特許文献２は、動的に画質の検出制御を行っているが、入力の切り替えに伴う画質の制御を高速化させることについては考慮されておらず、動画にあわせた画質の調整を目的としている。また、動画に対応させて画質のレジスタを変更する場合、そのとき表示されている画像に合わせた調整が行われるのではなく、解析の結果得られた設定値などをそのままレジスタに反映させるため、表示されている画像の画質が大幅に変更されることもあり、ユーザに違和感が残る可能性が高い。
【００１２】
本発明はこのような状況に鑑みてなされたものであり、画像の入力の切り換えを高速に行うとともに、違和感の少ない画像の表示を行うことができるようにするものである。
【課題を解決するための手段】
【００１３】
本発明の一側面は、ユーザによる選択の都度、入力される複数の信号に対応する画像の中から、前記選択に基づく信号に対応する画像を表示させる画像表示装置であって、前記選択に基づいて、前記複数の信号の中から選択された信号を出力する選択出力手段と、前記選択出力手段により出力された信号に基づいて、前記信号に対応する画像の状態を表す特徴量を演算する特徴量演算手段と、前記特徴量演算手段により演算された特徴量に基づいて、前記画像の状態を判定する状態判定手段と、前記選択出力手段により出力された信号および前記状態判定手段の判定結果に基づいて前記画像の画質を特定するパラメータを変更する画質変更手段とを備える画像表示装置である。
【００１４】
前記選択出力手段により出力される信号に対応する画像であって、前記画質変更手段による処理を経た画像の表示を制御する表示制御手段をさらに備えるようにすることができる。
【００１５】
前記表示制御手段は、前記選択出力手段により出力される信号が切り換えられる場合、画像の表示をブランキングさせるようにすることができる。
【００１６】
前記表示制御手段は、前記ユーザの選択が行われた時点から、前記選択出力手段により出力される信号が切り換えられるまでの間、画像の表示をブランキングさせるようにすることができる。
【００１７】
前記状態判定手段は、前記特徴量演算手段により演算された特徴量に基づいて、前記画像の変化のレベルを判定し、前記画質変更手段は、前記画像の変化のレベルが予め設定された閾値より大きい場合、前記画像の画質を特定するパラメータを、前記選択出力手段から出力される信号に基づいて定まる値に変更するようにすることができる。
【００１８】
前記状態判定手段は、前記特徴量演算手段により演算された特徴量に基づいて、前記画像の変化のレベルを判定し、前記画質変更手段は、前記画像の変化のレベルが予め設定された閾値より小さい場合、前記画像の画質を特定するパラメータを、前記選択出力手段から出力される信号に基づいて定まる値と、現在設定されている値との間の値に変更するようにすることができる。
【００１９】
前記特徴量演算手段は、前記選択出力手段により出力された信号に対応する画像を、予め設定された複数の区画に分割し、分割された前記複数の区画のそれぞれにおいて、値を測定すべき画素の位置を表す測定点を特定し、それぞれの前記測定点の画素の値であって、第１の時刻に対応する前記画素の値と、前記第１の時刻から予め設定された時間だけ後の第２の時刻に対応する前記画素の値との差分に基づいて、前記画像の変化を表す変化量を、前記画像の特徴量として演算するようにすることができる。
【００２０】
本発明の一側面は、ユーザによる選択の都度、入力される複数の信号に対応する画像の中から、前記選択に基づく信号に対応する画像を表示させる画像表示装置の画像表示方法であって、前記選択に基づいて、前記複数の信号の中から選択された信号を出力し、前記出力された信号に基づいて、前記信号に対応する画像の状態を表す特徴量を演算し、前記演算された特徴量に基づいて、前記画像の状態を判定し、前記出力された信号および前記判定結果に基づいて前記画像の画質を特定するパラメータを変更するステップを含む画像表示方法である。
【００２１】
本発明の一側面は、ユーザによる選択の都度、入力される複数の信号に対応する画像の中から、前記選択に基づく信号に対応する画像を表示させる画像表示装置に画像表示処理を実行させるプログラムであって、前記選択に基づいて、前記複数の信号の中から選択された信号の出力を制御し、前記出力された信号に基づいて、前記信号に対応する画像の状態を表す特徴量の演算を制御し、前記演算された特徴量に基づいて、前記画像の状態の判定を制御し、前記出力された信号および前記判定結果に基づいて前記画像の画質を特定するパラメータの変更を制御するステップを含むコンピュータが読み取り可能なプログラムである。
【００２２】
本発明の一側面においては、ユーザの選択に基づいて、複数の信号の中から選択された信号が出力され、前記出力された信号に基づいて、前記信号に対応する画像の状態を表す特徴量が演算され、前記演算された特徴量に基づいて、前記画像の状態が判定され、前記出力された信号および前記判定結果に基づいて前記画像の画質を特定するパラメータが変更される。
【発明の効果】
【００２３】
本発明の一側面によれば、画像を表示することができる。特に、画像の入力の切り換えを高速に行うとともに、違和感の少ない画像の表示を行うことができる。
【発明を実施するための最良の形態】
【００２４】
以下に本発明の実施の形態を説明するが、本発明の構成要件と、明細書または図面に記載の実施の形態との対応関係を例示すると、次のようになる。この記載は、本発明をサポートする実施の形態が、明細書または図面に記載されていることを確認するためのものである。従って、明細書または図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２５】
本発明の一側面の画像表示装置は、ユーザによる選択の都度、入力される複数の信号に対応する画像の中から、前記選択に基づく信号に対応する画像を表示させる画像表示装置であって、前記選択に基づいて、前記複数の信号の中から選択された信号を出力する選択出力手段（例えば、図２の入力切替処理部１２４）と、前記選択出力手段により出力された信号に基づいて、前記信号に対応する画像の状態を表す特徴量を演算する特徴量演算手段（例えば、図２の状態判別処理部１２５）と、前記特徴量演算手段により演算された特徴量に基づいて、前記画像の状態を判定する状態判定手段（例えば、図３のステップＳ１０６の処理を実行する図２の制御部１２９）と、前記選択出力手段により出力された信号および前記状態判定手段の判定結果に基づいて前記画像の画質を特定するパラメータを変更する画質変更手段（例えば、図２の画質処理部１２６）とを備える。
【００２６】
この画像処理装置は、前記選択出力手段により出力される信号に対応する画像であって、前記画質変更手段による処理を経た画像の表示を制御する表示制御手段（例えば、図２のブランキング制御部１２７）をさらに備えるようにすることができる。
【００２７】
本発明の一側面の画像表示方法は、ユーザによる選択の都度、入力される複数の信号に対応する画像の中から、前記選択に基づく信号に対応する画像を表示させる画像表示装置の画像表示方法であって、前記選択に基づいて、前記複数の信号の中から選択された信号を出力し（例えば、図３のステップＳ１０３の処理）、前記出力された信号に基づいて、前記信号に対応する画像の状態を表す特徴量を演算し（例えば、図３のステップＳ１０５の処理）、前記演算された特徴量に基づいて、前記画像の状態を判定し（例えば、図３のステップＳ１０６の処理）、前記出力された信号および前記判定結果に基づいて前記画像の画質を特定するパラメータを変更する（例えば、図３のステップＳ１０７またはＳ１０８の処理）ステップを含む。
【００２８】
以下、図面を参照して、本発明の実施の形態について説明する。図２は、本発明を適用したテレビジョン受像機１００の一実施形態に係る構成例を示す図である。同図において各機能ブロックを接続する実線の矢印は、例えば画像に関する信号が伝送される信号線とされ、点線の矢印は、制御情報に関する信号が伝送される制御線とされる。
【００２９】
図２において、アンテナ１２１を介して取得される放送信号を、チューナ１２２が受信し、受信した放送信号のうち所定のチャネルの信号に基づいてコンポジットビデオ信号とオーディオ信号とを復調し、それらの信号を入力切替処理部１２４に供給する。
【００３０】
入力切替処理部１２４は、チューナ１２２またはビデオ入力端子１２３から供給される信号のうち、選択されたコンポジットビデオ信号を、状態判別処理部１２５および画質処理部１２６に出力する。
【００３１】
状態判別処理部１２５は、入力切替処理部１２４から供給されるコンポジットビデオ信号に基づいて、現在表示される画像の変化量を演算し、画像の状態を判別する機能ブロックであり、状態判別処理部１２５により判別された画像の状態は、制御部１２９を介して画質処理部１２６に供給される。なお、画像の変換量については後述する。
【００３２】
画質処理部１２６は、入力切替処理部１２４から供給されたコンポジットビデオ信号を輝度信号、色信号に分離するとともに色信号を色差信号に変換し、ピクチャー、明るさ等の制御、画歪みの補正などが行われるように、予め設定された輝度や色あいなどを指定するためのパラメータなどで構成されるレジスタの設定を行うことで画質の制御に関する処理を行うとともに、ディスプレイ１３１を駆動するためのRGB信号を生成し、ブランキング制御部１２７に出力する。画質処理部１２６による画質の制御に関する処理は、制御部１２９を介して供給される、状態判別処理部１２５により判別された画像の状態に基づいて行われる。
【００３３】
ブランキング制御部１２７は、画質処理部１２６から供給されるディスプレイ１３１を駆動するためのRGB信号を、ディスプレイ１３１に出力するとともに、制御部１２９の制御に基づいて、ブランキング（画像が消えた状態）を行う。すなわち、ブランキング制御部１２７により、任意のタイミング（時刻）において、任意の時間（長さ）だけブランキングされるように、ディスプレイ１３１における画像の表示が制御されることになる。
【００３４】
ディスプレイ１３１は、例えば、ＬＣＤ(Liquid Crystal display)、PDP（Plasma Display Panel）などにより構成され、画面に画像を表示させる。
【００３５】
指令受付部１２８は、例えば、図示せぬリモコン（リモートコマンダ）から出力されるユーザの指令に対応する赤外線信号を受信し、受信した信号に対応するコマンドを制御部１２９に供給する。
【００３６】
制御部１２９は、例えば、CPU（Central Processing Unit）、RAM（Random Access Memory）などを有する小型のコンピュータとして構成され、指令受付部１２８から供給されるコマンドに基づいて各種の処理を行い、テレビジョン受像機１００全体を制御する。
【００３７】
ここでは、おもに画像に関する処理と出力について説明したが、テレビジョン受像機１００においては、音声の処理と出力も行われる。例えば、チューナ１２２またはビデオ入力端子１２３から供給されるオーディオ信号が図示せぬオーディオプロセッサ、アンプなどにより調整されて増幅され、ディスプレイ１３１に内蔵されるスピーカなどから音声が出力される。
【００３８】
次に、図３のフローチャートを参照して、テレビジョン受像機１００における画像の表示制御処理について説明する。
【００３９】
ステップS１０１において制御部１２９は、画像の切り替えの指令があったか否かを判定し、画像の切り替えの指令があったと判定されるまで待機する。例えば、指令受付部１２８を介して取得されたリモコンから送信されたユーザの指令が、画像の信号の供給元を、チューナ１２２からビデオ入力端子１２３に切り換えるものであった場合、または、チューナ１２２から供給される信号のうち、それまで選択されていたチャネルとは異なるチャネルの信号に対応する画像の表示を指令するものであった場合、ステップS１０１では、画像の切り替えの指令があったと判定され、処理は、ステップS１０２に進む。
【００４０】
ステップS１０２において、制御部１２９は、ブランキング制御部１２７を制御してディスプレイ１３１に表示される画像におけるブランキングを開始させる。これにより、ディスプレイ１３１は、ブランク（例えば真暗な画面）になる。
【００４１】
ステップS１０３において、制御部１２９は、入力切替部１２４を制御して、画像の信号の入力の切り替えを行わせる。例えば、ステップS１０１において、画像の信号の供給元を、チューナ１２２からビデオ入力端子１２３に切り換えることを表す指令があったと判定された場合、ステップS１０３では、それまで画質処理部１２６と状態判別処理部１２５に、チューナ１２２から供給される信号を出力していた制御部１２９は、画質処理部１２６と状態判別処理部１２５に、ビデオ入力端子１２３から供給される信号を出力するように画像の信号の入力の切り替えを行う。
【００４２】
ステップS１０４において、制御部１２９は、ブランキング制御部１２７を制御して、ディスプレイ１３１に表示される画像におけるブランキングを終了させる。これにより、ビデオ入力端子１２３から供給される信号に対応する画像がディスプレイ１３１に表示されることになる。
【００４３】
ステップS１０５において、制御部１２９は、状態判別処理部１２５を制御して、図４を参照して後述する変化量検出処理を実行させる。これにより、現在表示される画像（いまの場合、ビデオ入力端子１２３から供給される信号に対応する画像）の変化量が演算される。
【００４４】
ここで、図４のフローチャートを参照して、図２のステップS１０５の変化量検出処理の詳細について説明する。
【００４５】
ステップS１２１において、状態判別処理部１２５は、現在、ディスプレイ１３１に表示されている画面を、複数の区画に分割する。
【００４６】
ステップS１２２において、状態判別処理部１２５は、分割された各部分の測定点を決定する。このとき、例えば、図５に示されるように表示部１３１に示される画面が分割される。
【００４７】
図５は、ディスプレイ１３１に表示される画像の例を示す図であり、同図において、図中縦方向または横方向に直交する点線により画面が複数の区画に分割されている。ステップS１２１の処理では、画面がこのように分割され、この例では、２０（=５×４）の区画に分割されている。
【００４８】
また、同図において、測定点が円形にハッチングされて表示されている。ステップS１２２の処理では、測定点がこのように決定され、この例では、各区画に４つの測定点が配置されている。測定点の位置は、各区画において任意に決定されてもよいし、予め定められた方式などにより決定されるようにしてもよい。
【００４９】
なお、上述したステップS１２１およびS１２２の処理は、実際には、画像を構成する画素に対して行われることになり、S１２１およびS１２２の処理の後、ステップS１２１の処理により分割された区画に対応する画素、ステップS１２２の処理で決定された測定点に対応する画素が特定されている。
【００５０】
図４に戻って、ステップS１２２の処理の後、ステップS１２３において状態判別処理部１２５は、ステップS１２２の処理で決定された各測定点の画素のRGB値を測定する。このとき、例えば、図４に示される２０の区画に各々４個配置された８０（＝２０×４）個の測定点のそれぞれについてRGB値が取得される。
【００５１】
ステップS１２４において、状態判別処理部１２５は、予め設定された所定の時間（例えば、x秒）が経過したか否かを判定し、経過したと判定されるまで待機する。すなわち、ステップＳ１２３の処理の終了後、ｘ秒経過した後、ステップＳ１２５の処理が開始される。
【００５２】
ステップＳ１２５において、状態判別処理部１２５は、再びステップS１２２の処理で決定された各測定点の画素のRGB値を測定する。このときも、やはり８０（＝２０×４）個の測定点のそれぞれについてRGB値が取得される。
【００５３】
ステップＳ１２６において、状態判別処理部１２５は、ステップＳ１２３の処理で測定された各測定点の画素のRGB値と、ステップＳ１２５の処理で測定された各測定点の画素のRGB値とに基づいて色差を求める。ここで色差は、次のようにして求められる。
【００５４】
第１番目の区画の第１番目の測定点の画素についてステップＳ１２３の処理で測定されたRGB値を、それぞれＲ1，Ｇ１，Ｂ１とし、第１番目の区画の第１番目の測定点の画素についてステップＳ１２５の処理で測定されたRGB値を、それぞれＲ２，Ｇ２，Ｂ２とすると、第１番目の区画の第１番目の測定点の画素の色差V（1,1）は、次式により演算される。
【００５５】
【数１】
2007094018.tif 000003
【００５６】
同様にして、第１番目の区画の第２番目の測定点の画素の色差V（1,2）、第１番目の区画の第３番目の測定点の画素の色差V（1,3）、第１番目の区画の第４番目の測定点の画素の色差V（1,4）、第２番目の区画の第１番目の測定点の画素の色差V（2,1）、・・・を演算し、合計８０の色差を求める。
【００５７】
ステップＳ１２７において、状態判別処理部１２５は、ステップＳ１２６の処理により求められた色差に基づいて、画像の変化量を決定する。ここで、変化量は、上述した８０の色差の単純な平均値としてもよいし、あるいはまた、上述した８０の色差のうち、画面の中央の区画の測定点の色差などに重み付けがなされるなどして、所定の演算により導かれる値とするようにしてもよい。
【００５８】
このようにして画面の変化量が演算される。画面を複数の区画に分割し、さらに各区画の複数の測定点での色差に基づいて変化量が演算されるようにしたので、画面全体の変化の度合いを適確に表す変化量を演算することができる。
【００５９】
図３に戻って、ステップＳ１０５の処理の後、制御部１２９は、状態判別処理部１２５により演算された変化量のレベルを判定する。このとき、例えば、予め設定された閾値に基づいてステップＳ１０５の処理で演算された変化量がレベル大、レベル中、またはレベル小のいずれに該当するかが判定される。例えば、閾値ｓ1と、閾値ｓ１より大きい閾値ｓ２が予め設定されている場合、閾値ｓ１以下の変化量は、レベル小と判定され、閾値ｓ１以上であって閾値ｓ２未満の変化量は、レベル中と判定され、閾値ｓ２以上の変化量は、レベル大と判定される。
【００６０】
ステップＳ１０６において、ステップＳ１０５の処理で演算された変化量がレベル大であると判定された場合、処理は、ステップＳ１０７に進み、制御部１２９は、画質処理部１２６を制御して、輝度や色あいなどを指定するためのパラメータなどで構成されるレジスタを、最終値に設定する。ここで最終値は、現在ディスプレイ１３１に表示される画像（いまの場合、ビデオ入力端子１２３から供給される信号に対応する画像）に対応して定まるレジスタの理想的な設定状態に対応する値であり、例えば、入力切替処理部１２４から供給される信号に基づいて画質処理部１２６により自動的に演算される。
【００６１】
ステップＳ１０５の処理で演算された変化量がレベル大であると判定された場合、現在、ディスプレイ１３１に表示されている画像は、動き（変化）の大きい画像（動画像）であると考えられ、動きが多い場面では、ある程度急激に画質を変化させて、最終的な画質（レジスタが最終値に設定されたときの画質）に早く近づけてもユーザに気づかれにくく、違和感のある画像とはなりにくい。
【００６２】
ステップＳ１０６において、ステップＳ１０５の処理で演算された変化量がレベル中であると判定された場合、処理は、ステップＳ１０８に進み、制御部１２９は、画質処理部１２６を制御して、レジスタの設定値を、最終値に設定せず、部分的に変更する。
【００６３】
ステップＳ１０５の処理で演算された変化量がレベル中であると判定された場合、現在、ディスプレイ１３１に表示されている画像は、あまり動き（変化）の大きくない画像（動画像）であると考えられ、あまり動きがない場面では、急激に画質を変化させて、最終的な画質（レジスタが最終値に設定されたときの画質）に早く近づけると、ユーザに違和感を持たせてしまう。そこで、あまり動きがない画像のときは、時間をかけて画質を変化させ、ユーザに違和感を与えてしまうことがないように、部分的にレジスタの値を変更する。例えば、レジスタの各パラメータの設定値を、現在の設定値と最終値との間の値に設定したり、あらかじめ定められた優先順位に従って、複数のパラメータのうち優先順位の高い所定のパラメータのみが設定値が変更されるようにする。
【００６４】
ステップＳ１０６において、ステップＳ１０５の処理で演算された変化量がレベル小であると判定された場合、レジスタの設定値の変更は行われず、処理は、ステップＳ１０５に戻る。
【００６５】
ステップＳ１０５の処理で演算された変化量がレベル小であると判定された場合、現在、ディスプレイ１３１に表示されている画像は、ほとんど動き（変化）のない画像であると考えられ、動きがない場面では、画質を変化させると、それだけでユーザに違和感を持たせてしまう。そこで、動きがない画像のときは、レジスタの設定値を変更せず、再度、変化量検出処理を実行させ、ディスプレイ１３１に表示される画像がより変化量（動き）の大きい場面になるのを待つ。
【００６６】
ステップＳ１０７またはＳ１０８の処理の後、処理は、ステップＳ１０９に進み、制御部１２９は、レジスタの設定が完了したか否かを判定する。レジスタが既に最終値に設定されている場合、ステップＳ１０９では、レジスタの設定が完了したと判定され、処理は終了する。一方、レジスタがまだ最終値に設定されていない場合、ステップＳ１０９では、レジスタの設定が完了したと判定され、処理は、ステップＳ１０５に戻る。
【００６７】
このようにして、画質の変更が行われて画像が表示される。レジスタの設定値は、画像の動きに応じて変更されるようにしたので、動きが大きい場面では、画質が急激に変更されて、画像の入力の切り換えに伴う処理に要する時間を短縮することが可能となるとともに、動きが小さい場面では、画質を徐々に変更させて、画像の入力の切り換えに時に、ユーザに違和感を与えないようにすることができる。
【００６８】
また、ブランキングが終了した後、画質の変更に関する処理が行われるようにしたので、ブランキング時間を短くすることができ、例えば、ユーザが見たいシーンを見逃してしまうなどの不都合がなくなり、利便性を向上させることができる。
【００６９】
以上においては、本発明をテレビジョン受像機に適用した例について説明したが、本発明を汎用のパーソナルコンピュータ５００に適用することも可能である。図６は、パーソナルコンピュータ５００の構成例を示すブロック図である。
【００７０】
図６において、CPU（Central Processing Unit）５０１は、ROM（Read Only Memory）５０２に記憶されているプログラム、または記憶部５０８からRAM（Random Access Memory）５０３にロードされたプログラムに従って各種の処理を実行する。RAM５０３にはまた、CPU５０１が各種の処理を実行する上において必要なデータなども適宜記憶される。
【００７１】
CPU５０１、ROM５０２、およびRAM５０３は、バス５０４を介して相互に接続されている。このバス５０４にはまた、入出力インタフェース５０５も接続されている。
【００７２】
入出力インタフェース５０５には、キーボード、マウスなどよりなる入力部５０６、CRT(Cathode Ray Tube)、ＬＣＤ(Liquid Crystal display)などよりなるディスプレイ、並びにスピーカなどよりなる出力部５０７、ハードディスクなどより構成される記憶部５０８、モデム、LANカードなどのネットワークインタフェースカードなどより構成される通信部５０９が接続されている。通信部５０９は、インターネットを含むネットワークを介しての通信処理を行う。
【００７３】
入出力インタフェース５０５にはまた、必要に応じてドライブ５１０が接続され、磁気ディスク、光ディスク、光磁気ディスク、或いは半導体メモリなどのリムーバブルメディア５１１が適宜装着され、それらから読み出されたコンピュータプログラムが、必要に応じて記憶部５０８にインストールされる。
【００７４】
なお、上述した一連の処理は、ハードウェアにより実行させることもできるし、ソフトウェアにより実行させることもできる。上述した一連の処理をソフトウェアにより実行させる場合には、そのソフトウェアを構成するプログラムが、インターネットなどのネットワークや、リムーバブルメディア５１１などからなる記録媒体からインストールされる。
【００７５】
なお、この記録媒体は、図６に示される、装置本体とは別に、ユーザにプログラムを配信するために配布される、プログラムが記録されている磁気ディスク（フロッピディスク（登録商標）を含む）、光ディスク（CD-ROM(Compact Disk-Read Only Memory),DVD(Digital Versatile Disk)を含む）、光磁気ディスク（MD（Mini-Disk）（登録商標）を含む）、もしくは半導体メモリなどよりなるリムーバブルメディア５１１により構成されるものだけでなく、装置本体に予め組み込まれた状態でユーザに配信される、プログラムが記録されているROM５０２や、記憶部５０８に含まれるハードディスクなどで構成されるものも含む。
【００７６】
本明細書において上述した一連の処理を実行するステップは、記載された順序に沿って時系列的に行われる処理はもちろん、必ずしも時系列的に処理されなくとも、並列的あるいは個別に実行される処理をも含むものである。
【図面の簡単な説明】
【００７７】
【図１】従来の画質制御処理の例を説明するフローチャートである。
【図２】本発明を適用したテレビジョン受像機の一実施形態に係る構成例を示す図である。
【図３】表示制御処理の例を説明するフローチャートである。
【図４】変化量検出処理を説明するフローチャートである。
【図５】ディスプレイに表示される画像の例を示す図である。
【図６】パーソナルコンピュータの構成例を示すブロック図である。
【符号の説明】
【００７８】
１００  テレビジョン受像機，  １２４  入力切替処理部，  １２５  状態判別処理，  １２６  画質処理部，  １２７  ブランキング制御部，  １２９  制御部，  １３１  ディスプレイ
【図１】
2007094018.tif 000004
【図２】
2007094018.tif 000005
【図３】
2007094018.tif 000006
【図４】
2007094018.tif 000007
【図５】
2007094018.tif 000008
【図６】
2007094018.tif 000009